(57)【要約】【課題】ベランダに容易かつ強固に物干し具を設置することができ、しかも、日除け機能を付加した物干し具を提供すること。【解決手段】伸縮自在となされると共に、上下方向に相対向する二つの面の間にその上下端を突っ張らせるようにして適宜間隔を空けて立設された２本の支柱と、該支柱の上部間に差し渡された水平杆と、前記各支柱の中間部から前方へ水平方向に延び、物干し竿を保持するための竿受け部が形成された竿受けアームと、該竿受けアーム間に差し渡されて保持された物干し竿と、前記水平杆に巻き付けられた日除けシートとを備え、該日除けシートの下端部には、支柱に係止するための係止部が設けられ、日除けシートを水平杆から引き出して、前記物干し竿の前方側から回すようにして下方に広げ、係止部を支柱に係止させることによって、２本の支柱間に形成される空間部の少なくとも一部を覆うようにした。【選択図】図１
2012210336.tif 000002
【特許請求の範囲】
【請求項１】
伸縮自在となされると共に、上下方向に相対向する二つの面の間にその上下端を突っ張らせるようにして適宜間隔を空けて立設された２本の支柱と、
該支柱の上部間に差し渡された水平杆と、
前記各支柱の中間部から前方へ水平方向に延び、物干し竿を保持するための竿受け部が形成された竿受けアームと、
該竿受けアーム間に差し渡されて保持された物干し竿と、
前記水平杆に巻き付けられた日除けシートとを備え、
該日除けシートの下端部には、支柱に係止するための係止部が設けられ、
日除けシートを水平杆から引き出して、前記物干し竿の前方側から回すようにして下方に広げ、係止部を支柱に係止させることによって、２本の支柱間に形成される空間部の少なくとも一部を覆うようにしたことを特徴とする物干し具。
【請求項２】
２本の支柱のそれぞれの中間部から後方かつ水平方向へ延び、物干し竿を保持するための竿受け部が形成された第二の竿受けアームと、
該第二の竿受けアーム間に差し渡されて保持された物干し竿を備えたことを特徴とする請求項１に記載の物干し具。
【発明の詳細な説明】
【技術分野】
【０００１】
本発明は、物干し具に関するものであり、より詳しくは、マンションのベランダなどに容易かつ安定的に設置され、かつ日除けの機能を付加した物干し具に関するものである。
【背景技術】
【０００２】
従来から、多種多様な物干し具が提案され、その形態、形状及び機能等は様々である。その中で、例えばマンションのベランダなどに設置される物干し具として、ベランダの床面と天井面との間に突っ張らせるようにして取り付けられた複数の支柱に物干し竿を保持する竿受け部を設け、当該竿受けに物干し竿を保持させるようにした物干し具が多く利用されている（下記特許文献１及び２）。
【０００３】
このような従来の物干し具によれば、ベランダに容易かつ強固に物干し具を設置することができる。それゆえ、強風が吹く可能性のある地域や中高層のマンションのベランダなどに設置した場合でも、物干し具が強風で倒れたり吹き飛ばされたりする恐れがないので安心して設置、利用することができる。
【先行技術文献】
【特許文献】
【０００４】
【特許文献１】実開平１−７９４９２号公報
【特許文献２】特開２００６−３４０８７５号公報
【発明の概要】
【発明が解決しようとする課題】
【０００５】
ただし、ベランダには非常に強い太陽光が当たる場合も多く、充分な庇が配されていないベランダであれば、余り太陽光を当てるのが好ましくないような洗濯物を干すことができない。また、近年の地球温暖化の進行により、夏場の気温の上昇によるヒートアイランド現象や室内の極端な温度上昇等が生じている。
【０００６】
これらの問題への対処として、日除けの器具・装置を設置することも可能であるが、上記従来の物干し具に加えて日除けの器具などをベランダに設置すると、多くのスペースを占めてしまうこととなる。
【０００７】
本発明は、上記のような問題点を克服するためになされたものであり、ベランダに容易かつ強固に物干し具を設置することができ、しかも、日除け機能を付加した物干し具を提供することを目的とする。
【課題を解決するための手段】
【０００８】
上記の課題を解決するため、本発明に係る物干し具は、伸縮自在となされると共に、上下方向に相対向する二つの面の間にその上下端を突っ張らせるようにして適宜間隔を空けて立設された２本の支柱と、該支柱の上部間に差し渡された水平杆と、前記各支柱の中間部から前方へ水平方向に延び、物干し竿を保持するための竿受け部が形成された竿受けアームと、該竿受けアーム間に差し渡されて保持された物干し竿と、前記水平杆に巻き付けられた日除けシートとを備え、該日除けシートの下端部には、支柱に係止するための係止部が設けられ、日除けシートを水平杆から引き出して、前記物干し竿の前方側から回すようにして下方に広げ、係止部を支柱に係止させることによって、２本の支柱間に形成される空間部の少なくとも一部を覆うようにしたことを特徴とする。
【０００９】
本発明に係る物干し具によれば、２本の支柱が上下に相対向する二つの面、すなわち例えばベランダの床面と天井面（庇部の裏面）との間に突っ張らせるようにして固定されて立設されるので、強固にかつ安定的に設置され、それゆえ、強風によっても容易に倒れたり吹き飛ばされたりすることがない。しかも、日除けシートを水平杆から引き出して広げるだけで、簡易な日除けとして利用でき、これによりベランダに面したマンションの壁面や窓へ差し込む太陽光及び太陽熱を遮って、室内の温度上昇を抑制することができる。
【００１０】
また、本発明に係る物干し具をベランダに面した窓の前面に設置する場合、日除けシートは、上記物干し竿の前方側から回すようにして広げられており、日除けシートの窓側に空間部が形成されるので、室内にいる居住者にとって圧迫感が無い。しかも、この空間部があることによって、窓を開放したときには風が通り易いので、より一層室内の温度上昇を抑制できる。
【００１１】
更に、本発明に係る物干し具において、２本の支柱のそれぞれの中間部から後方かつ水平方向へ延び、物干し竿を保持するための竿受け部が形成された第二の竿受けアームと、該第二の竿受けアーム間に差し渡されて保持された物干し竿を備えるようにしてもよい。
【００１２】
このようにすれば、日除けシートを広げた状態でも洗濯物を干すことができる。それゆえ、あまり太陽光を当てるべきでない洗濯物でも干すことが可能となり、また周辺から見られたくない洗濯物についての目隠しにもなる。
【発明の効果】
【００１３】
以上のとおり、本発明に係る物干し具によれば、２本の支柱が上下に相対向する二つの面間に突っ張らせるようにして固定されて立設されるので、強固にかつ安定的に設置され、それゆえ、強風によっても容易に倒れたり吹き飛ばされたりすることがない。しかも、日除けシートを水平杆から引き出して広げるだけで、簡易な日除けとして利用でき、これによりベランダに面したマンションの壁面や窓へ差し込む太陽光及び太陽熱を遮って、室内の温度上昇を抑制することができる。
【００１４】
また、本発明に係る物干し具をベランダに面した窓の前面に設置する場合、日除けシートは、上記物干し竿の前方側から回すようにして広げられており、日除けシートの窓側に空間部が形成されるので、室内にいる居住者にとって圧迫感が無い。しかも、この空間部があることによって、窓を開放したときには風が通り易いので、より一層室内の温度上昇を抑制できる。
【００１５】
更に、２本それぞれの支柱の中間部から後方かつ水平方向へ延び、物干し竿を保持するための竿受け部が形成された第二の竿受けアームと、該第二の竿受けアーム間に差し渡されて保持された物干し竿を備えるようにすれば、日除けシートを広げた状態でも洗濯物を干すことができる。それゆえ、あまり太陽光を当てるべきでない洗濯物でも干すことが可能となり、また周辺から見られたくない洗濯物の目隠しにもなる。
【図面の簡単な説明】
【００１６】
【図１】本発明に係る物干し具の一実施形態を示す図であり、マンションのベランダに設置され、日除けシートを広げた使用状態を示す図である。
【図２】図１に示した物干し具であって、日除けシートで隠れている部分を破線で示した図である。
【図３】図１に示した物干し具であって、日除けシートを水平杆に巻き取って収納した状態を示す説明図である。
【図４】図１に示した物干し具における竿受けアームを拡大した図であり、アームの先端部を折り曲げる動作を示した説明図である。
【図５】図４と同じく、竿受けアームの先端部を折り曲げる動作を示した説明図である。
【発明を実施するための形態】
【００１７】
以下、本発明を実施するための形態を、図面に基づいて詳細に説明する。
【００１８】
図１〜３は、本発明に係る物干し具１の一実施形態におけるベランダへの設置状態を示す図である。図３に示すように、この実施形態においては、所定の間隔を空けて立設された２本の支柱２のそれぞれの中間部に竿受けアーム３を取り付け、当該竿受けアーム３に物干し竿４を保持させることによって、２本の支柱２間に物干し竿４が差し渡されている。また、２本の支柱２の上部間には水平杆５が差し渡され、当該水平杆５に日除けシート６が巻き付けられている。この日除けシート６の下端部を引っ張って引き出し、物干し竿４の前方側を回すようにして日除けシート６の下端部左右両端に設けられた２つの係止部６１をそれぞれ２本の支柱２に係止させることによって、図１及び図２に示すように、２本の支柱２間の空間部に日除けシート６を広げ、これによりベランダに面する壁面ないし窓への太陽光及び太陽熱を遮るようになされている。以上が、図１〜３に示した実施形態における物干し具１の基本的な構成である。
【００１９】
この実施形態の物干し具１をより詳細に説明すると、２本の支柱２は、それぞれ管状の外パイプ２１と、外パイプ２１の内径よりも僅かに小さい外径を有し前記外パイプ２１内に嵌挿される同じく管状の内パイプ２２と、任意の高さ位置で内パイプ２２を外パイプ２１に対して固定可能とすることにより支柱２の長さを任意に調整できるようにするためのロック部材２３とを備えている。また、支柱２の上下それぞれの端部には、端部キャップ２４、２５が被せられている。これにより、支柱２は、その上下端部がそれぞれ端部キャップ２４、２５を介してベランダの天井面Ｃと床面Ｆとを押圧するように所定の長さに調整され、天井面Ｃと床面Ｆとの間に突っ張らせた状態で固定されることにより設置される。
【００２０】
また、図１〜３に示すように、竿受けアーム３は、支柱２の中央あたりの高さ位置に取り付けられている。この竿受けアーム３は、図４及び図５に示すように、支柱２に取り付けられる支持アーム部３１と、支持アーム部３１の先端部に回動軸３５を中心として回動可能に軸支された回動アーム３２とからなる。支持アーム部３１は、その基端部に支柱２を挿通可能な支柱挿通孔３１１が形成されるとともに、図示しないが、支持アーム部３１を任意の高さ位置において支柱２に対して固定するためのストッパー機構を備えており、これによって竿受けアーム３を任意の高さ位置において支柱２に取り付けることが可能となる。なお、当該ストッパー機構は、既知の任意の機構を選択して利用することができ、また、図１〜図３においては竿受けアーム３を支柱２の中央あたりの高さ位置に取り付けた使用状態を示しているが、これよりも上の位置或いは下の位置に取り付けるようにしてもよい。
【００２１】
回動アーム３２は、上述のとおり回動軸３５を中心として回動可能となされていて、図１に示したように前方へ延ばした状態とすることもでき、また図４〜５に示すように、回動アーム３２の先端部を物干し具１の背面側方向へ回動させて、竿受けアーム３を短くすることもできる。このとき、図５の二点破線で示すように、支持アーム部３１に形成したスリット部３１２に回動アーム３２を収納することも可能となされている。
【００２２】
また、回動アーム３２の先端部近傍および回動軸３５の位置には、左右方向に貫通し物干し竿４を挿通させて保持させることが可能な挿通孔が形成され保持部３２１、３６となされている。この保持部３２１、３６に物干し竿４を保持させることにより、２本の竿受けアーム間３に物干し竿４を差し渡して保持させることができる。
【００２３】
なお、上記回動アーム３２の伸縮機構（回動軸を中心に回動アームを回動させて前方に伸ばし、あるいは背面側方向へ収納する機構）については、このような形態に限られるものでなく、他の任意の機構を選択して採用することが可能なものである。
【００２４】
水平杆５は、円筒状の棒状体であり、図１〜３に示すように、水平杆保持腕７を介して支柱２間に差し渡されて取り付けられている。水平杆５は、その長手方向の中心軸を中心として水平杆保持腕７に対して回動可能であり、水平杆保持腕本体７１の左右いずれか一方又は双方に設けられたハンドル７２に接続され（図１〜３に示した実施例においては一方のみ）、当該ハンドル７２を回すことによって、水平杆５も回動するようになされている。また、水平杆５には日除けシート６の上端縁が固定されており、当該日除けシート６を使用しないときは、ハンドル７２を回して図３に示すように日除けシート６を巻き上げた状態とできるものである。そして、日除けシート６を使用するときは、ハンドル７２を回して、或いは日除けシート６の下端縁を引っ張ることにより、日除けシート６を引き出せばよいものである。
【００２５】
さらに、日除けシート６の下端縁には、当該下端縁に沿って棒状体により形成される下端芯材６３が設けられ、また下端芯材の両端部、すなわち日除けシート６の下端における左右両端部には、支柱２対して着脱自在に係止可能とした係止部６１が設けられている。この実施形態における係止部６１は、合成樹脂材料で形成されたものであって、支柱２の外径よりも小さい内径を備えた環状の一部を切り欠いた形状となされており、弾性的に拡径可能であると共にその表面が一定以上の摩擦係数を備えることで、支柱２に係止可能となされている。尚、当該係止部６１は、上記の形態に限られず、支柱２に着脱自在に係止可能なものであれば、任意の構成を採用することができる。
【００２６】
上述のような構成を備えることにより、日除けシート６を使用するときには、日除けシート６を水平杆５から引き出して下方へ引っ張り、物干し竿４の前方側から回すようにして下方に広げ、係止部を支柱に係止させることによって、簡単に２本の支柱間に形成される空間部の少なくとも一部を覆ことができる。このとき、日除けシート６を物干し竿４の前方側から回すようにしているので、図１に示すように、日除けシート６は側面視で「く」の字状となる。このようにすることで、日除けシート６の背面側に空間部が形成されるので、この物干し具１をベランダに面した窓の前面に設置した場合、室内にいる居住者にとっては日除けシート６による圧迫感がない。また、この空間部があることによって、窓を開放したときの通風状態が良好となるので、室温の上昇をより好適に抑制することが可能となる。
【００２７】
また、この実施形態においては、各支柱２に設けられた竿受けアーム３よりやや低い位置に第二の竿受けアーム８が設けられている。第二の竿受けアーム８は支柱２から後方に延びるように配され、また、それぞれ左右に貫通する貫通孔が形成されて物干し竿４４を挿通させて保持するための保持部８１となされ、当該第二の竿受けアーム８間に物干し竿４４が差し渡されている。
【００２８】
このように支柱２より背面側に物干し竿４４が配され、また上述のとおり日除けシート６は物干し竿４の前方側から回すようにされて側面視で「く」の字状となるようになされているので、日除けシート６を使用しているときにも物干し竿４４に洗濯物を干すことができる。
【００２９】
なお、日除けシート６は、様々な形態のものを適用できる。すなわち、合成樹脂材料や各種天然素材を適宜選択して利用でき、通風性のないシート材を利用してもよいが、線材を編成するなどして通風性を持たせたものを利用してもよい。また、光反射性能を有する材料を日除けシートの表面に塗布したり或いはシート材料に練り込むようにしてもよい。さらに、必要に応じて、遮熱、遮光、遮音、防水などの性能を適宜付与することも可能である。
【００３０】
以上のとおり、具体的な実施形態を示して本発明に係る物干し具を説明してきたが、本発明は上述の実施形態に限られるものではなく、本発明の趣旨を逸脱しない範囲で様々に形態等を変更することが可能なものである。
【００３１】
例えば、日除けシート６をハンドルの回転動作により巻き上げられるものとせず、係止部６１の係止状態を解除すれば自動的に巻き上げられるものとしてもよい。即ち、スプリング等を用いることにより、水平杆保持腕７に水平杆５が日除けシートを巻き取る方向へ付勢する付勢力を生じさせる付勢手段を備えるようにし、これによって日除けシートの下端縁の係止を解除すれば、自動的に日除けシート６が水平杆に巻き上げられるようにすることができる。このようにすれば、日除けシート６の収納作業が非常に簡便となり、また、日除けシート６を使用している場合には、当該シートがピンと張った状態となる。
【符号の説明】
【００３２】
１    物干し具
２    支柱
３    竿受けアーム
４    物干し竿
５    水平杆
６    日除けシート
【図１】
2012210336.tif 000003
【図２】
2012210336.tif 000004
【図３】
2012210336.tif 000005
【図４】
2012210336.tif 000006
【図５】
2012210336.tif 000007